(57)【要約】【課題】リレーノードが接続されている無線基地局において設定すべき識別子を、かかるリレーノード及び無線基地局とが協調して自動的に割り当てる。【解決手段】本発明に係る移動通信システムは、リレーノードＲＮを識別する「Ｍａｃｒｏ  ｅＮＢ  ＩＤ」及び無線基地局ＤｅＮＢを識別する「ｅＮＢ  ＩＤ」は、同一になるように構成されており、無線基地局ＤｅＮＢは、リレーノードＲＮの起動時に、無線基地局ＤｅＮＢに接続されている他のリレーノードＲＮ配下のセル及び無線基地局ＤｅＮＢ配下のセルを識別する「Ｃｅｌｌ  Ｉｄｅｎｔｉｔｙ」として使用されている「Ｃｅｌｌ  Ｉｄｅｎｔｉｔｙ」と重複しないように、リレーノードＲＮ配下のセルを識別する「Ｃｅｌｌ  Ｉｄｅｎｔｉｔｙ」を割り当てるように構成されている割当部２２を具備する。【選択図】図４
2011147106.tif 000002
【特許請求の範囲】
【請求項１】
無線基地局と、該無線基地局に接続されているリレーノードとを具備している移動通信システムであって、
前記リレーノードを識別する装置識別情報及び前記無線基地局を識別する装置識別情報は、同一になるように構成されており、
前記無線基地局は、前記リレーノードの起動時に、該無線基地局に接続されている他のリレーノード配下のセル及び該無線基地局配下のセルを識別するセル識別情報として使用されているセル識別情報と重複しないように、該リレーノード配下のセルを識別するセル識別情報を割り当てるように構成されている割当部を具備することを特徴とする移動通信システム。
【請求項２】
前記割当部は、前記リレーノードの起動時における前記リレーノードと前記無線基地局との間のＲＲＣコネクションの設定処理において、該リレーノード配下のセルを識別するセル識別情報を割り当てるように構成されていることを特徴とする請求項１に記載の移動通信システム。
【請求項３】
前記割当部は、前記リレーノードの起動時における前記リレーノードのＳ１コネクションの設定処理において、該リレーノード配下のセルを識別するセル識別情報を割り当てるように構成されていることを特徴とする請求項１に記載の移動通信システム。
【請求項４】
前記リレーノードは、起動時に、前記無線基地局に対して、該リレーノードにおいて運用するセルの数を通知するように構成されている送信部を具備し、
前記割当部は、通知された前記セルの数だけ、前記セル識別情報を割り当てるように構成されていることを特徴とする請求項１に記載の移動通信システム。
【請求項５】
前記リレーノードは、起動時に、前記無線基地局に対して、該リレーノードにおいてサポート可能なセルの数を通知するように構成されている送信部を具備し、
前記割当部は、通知された前記セルの数以下の数だけ、前記セル識別情報を割り当てるように構成されていることを特徴とする請求項１に記載の移動通信システム。
【請求項６】
リレーノードに接続されている無線基地局であって、
前記リレーノードを識別する装置識別情報及び前記無線基地局を識別する装置識別情報は、同一になるように構成されており、
前記リレーノードの起動時に、該無線基地局に接続されている他のリレーノード配下のセル及び該無線基地局配下のセルを識別するセル識別情報として使用されているセル識別情報と重複しないように、該リレーノード配下のセルを識別するセル識別情報を割り当てるように構成されている割当部を具備することを特徴とする無線基地局。
【請求項７】
前記割当部は、前記リレーノードの起動時における前記リレーノードと前記無線基地局との間のＲＲＣコネクションの設定処理において、該リレーノード配下のセルを識別するセル識別情報を割り当てるように構成されていることを特徴とする請求項６に記載の無線基地局。
【請求項８】
前記割当部は、前記リレーノードの起動時における前記リレーノードのＳ１コネクションの設定処理において、該リレーノード配下のセルを識別するセル識別情報を割り当てるように構成されていることを特徴とする請求項６に記載の無線基地局。
【請求項９】
前記リレーノードの起動時に、該リレーノードにおいて運用するセルの数を受信するように構成されている受信部を具備し、
前記割当部は、通知された前記セルの数だけ、前記セル識別情報を割り当てるように構成されていることを特徴とする請求項６に記載の無線基地局。
【請求項１０】
前記リレーノードの起動時に、該リレーノードにおいてサポート可能なセルの数を受信するように構成されている受信部を具備し、
前記割当部は、通知された前記セルの数以下の数だけ、前記セル識別情報を割り当てるように構成されていることを特徴とする請求項６に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式の後継であるＬＴＥ-Ａｄｖａｎｃｅｄ方式の移動通信システムは、無線基地局ＤｅＮＢ（Ｄｏｎｅｒ-ｅＮＢ）と移動局ＵＥとの間に、リレーノードＲＮ（Ｒｅｌａｙ  Ｎｏｄｅ）を設けることができるように構成されている。
【０００３】
ＬＴＥ方式の移動通信システムにおける無線基地局ｅＮＢは、隣接する無線基地局ｅＮＢとの間で「Ｘ２  ｉｎｔｅｒｆａｃｅ」を確立し、交換局ＭＭＥを経由せずに、ハンドオーバ制御信号や無線基地局ｅＮＢの負荷情報を交換することができる。
【０００４】
しかし、リレーノードＲＮが無線基地局ＤｅＮＢ配下に数多く設置される運用形態において、リレーノードＲＮが全ての隣接無線基地局ｅＮＢとの間で「Ｘ２  ｉｎｔｅｒｆａｃｅ」を確立すると、無線基地局ｅＮＢの処理負荷が多くなることが懸念される。
【０００５】
よって、無線基地局ＤｅＮＢが、配下のリレーノードＲＮとの間の「Ｘ２  ｉｎｔｅｒｆａｃｅ」を集約し、配下のリレーノードＲＮの数に依存せず、無線基地局ＤｅＮＢが隣接無線基地局ｅＮＢとの間で「Ｘ２  ｉｎｔｅｒｆａｃｅ」を確立する方法が提案されている。
【先行技術文献】
【非特許文献】
【０００６】
【非特許文献１】３ＧＰＰ  ＴＲ３６.８０６（Ｖ０.１.１）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ-Ａｄｖａｎｃｅｄ）（Ｒｅｌｅａｓｅ.９）」、２００９年１１月
【非特許文献２】３ＧＰＰ  ＴＳ３６.４２３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【発明の概要】
【発明が解決しようとする課題】
【０００７】
しかしながら、かかる移動通信システムにおいて、無線基地局ＤｅＮＢが「Ｘ２  ｉｎｔｅｒｆａｃｅ」を集約するためには、隣接無線基地局ｅＮＢに対して、無線基地局ＤｅＮＢ配下の１つのセルとして、リレーノードＲＮ配下のセルを認識させる必要があり、無線基地局ＤｅＮＢとしてリレーノードＲＮを識別させるための識別子、及び、リレーノードＲＮ配下のセルを識別する識別子を、無線基地局ＤｅＮＢと関連付けて割り当てる必要があるが、リレーノードＲＮが無線基地局ＤｅＮＢと協調して自動的に上記識別子を割り当てる方法が存在せず、リレーノードＲＮの設置者が手動で上記識別子を設定しなければならないという問題点があった。
【０００８】
そこで、本発明は、上述の課題に鑑みてなされたものであり、リレーノードが接続されている無線基地局において設定すべき識別子を、かかるリレーノード及び無線基地局が協調して自動的に割り当てることができる移動通信システム及び無線基地局を提供することを目的とする。
【課題を解決するための手段】
【０００９】
本発明の第１の特徴は、無線基地局と、該無線基地局に接続されているリレーノードとを具備している移動通信システムであって、前記リレーノードを無線基地局として識別する装置識別情報及び前記無線基地局を識別する装置識別情報は、同一になるように構成されており、前記無線基地局は、前記リレーノードの起動時に、該無線基地局に接続されている他のリレーノード配下のセル及び該無線基地局配下のセルを識別するセル識別情報として使用されているセル識別情報と重複しないように、該リレーノード配下のセルを識別するセル識別情報を割り当てるように構成されている割当部を具備することを要旨とする。
【００１０】
本発明の第２の特徴は、リレーノードに接続されている無線基地局であって、前記リレーノードを無線基地局として識別する装置識別情報及び前記無線基地局を識別する装置識別情報は、同一になるように構成されており、前記リレーノードの起動時に、該無線基地局に接続されている他のリレーノード配下のセル及び該無線基地局配下のセルを識別するセル識別情報として使用されているセル識別情報と重複しないように、該リレーノード配下のセルを識別するセル識別情報を割り当てるように構成されている割当部を具備することを要旨とする。
【発明の効果】
【００１１】
以上説明したように、本発明によれば、リレーノードが接続されている無線基地局において設定すべき識別子を、かかるリレーノード及び無線基地局とが協調して自動的に割り当てることができる移動通信システム及び無線基地局を提供することができる。
【図面の簡単な説明】
【００１２】
【図１】本発明の第１の実施形態に係る移動通信システムの全体構成図である。
【図２】本発明の第１の実施形態に係るリレーノードＲＮの機能ブロック図である。
【図３】本発明の第１の実施形態に係る無線基地局ＤｅＮＢの機能ブロック図である。
【図４】本発明の第１の実施形態に係る移動通信システムの動作を示すシーケンス図である。
【図５】本発明の第１の実施形態に係るリレーノードＲＮの動作を説明するフローチャートである。
【図６】本発明の第２の実施形態に係るリレーノードＲＮの動作を説明するフローチャートである。
【発明を実施するための形態】
【００１３】
（本発明の第１の実施形態に係る移動通信システム）
図１乃至図５を参照して、本発明の第１の実施形態に係る移動通信システムについて説明する。
【００１４】
本実施形態に係る移動通信システムは、ＬＴＥ-Ａｄｖａｎｃｅｄ方式の移動通信システムであって、図１に示すように、無線基地局ｅＮＢと、無線基地局ＤｅＮＢと、かかる無線基地局ＤｅＮＢに接続されている複数のリレーノードＲＮ＃１乃至ＲＮ＃３とを具備している。以下、リレーノードＲＮ＃１乃至ＲＮ＃３を代表して「リレーノードＲＮ」と表記する。
【００１５】
また、図１に、本実施形態に係る移動通信システムにおけるＣ-ｐｌａｎｅのプロトコルスタックを示す。
【００１６】
図１に示すように、リレーノードＲＮは、Ｃ-ｐｌａｎｅのプロトコル機能として、物理（ＰＨＹ）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｘ２-ＡＰ（Ｘ２-Ａｐｐｌｉｃａｔｉｏｎ）レイヤ機能とを具備している。
【００１７】
無線基地局ＤｅＮＢは、Ｃ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＳＣＴＰレイヤ機能と、Ｘ２-ＡＰレイヤ機能とを具備している。
【００１８】
また、無線基地局ＤｅＮＢは、Ｃ-ｐｌａｎｅのプロトコル機能として、無線基地局ｅＮＢ側に、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰレイヤ機能と、ＳＣＴＰレイヤ機能と、Ｘ２-ＡＰレイヤ機能とを具備している。
【００１９】
無線基地局ｅＮＢは、Ｃ-ｐｌａｎｅのプロトコル機能として、ＮＷＬ１機能と、ＮＷＬ２機能と、ＩＰレイヤ機能と、ＳＣＴＰレイヤ機能と、Ｘ２-ＡＰレイヤ機能とを具備している。
【００２０】
ここで、図１に示すように、リレーノードＲＮのＸ２-ＡＰレイヤ機能と無線基地局ＤｅＮＢのＸ２-ＡＰレイヤ機能との間で、Ｘ２コネクション（Ｘ２  ｓｉｇｎａｌｉｎｇ  ｃｏｎｎｅｃｔｉｏｎ）が終端されており、無線基地局ＤｅＮＢのＸ２-ＡＰレイヤ機能と無線基地局ｅＮＢのＸ２-ＡＰレイヤ機能との間で、Ｘ２コネクションが終端されている。
【００２１】
なお、無線基地局ＤｅＮＢと無線基地局ｅＮＢとの間では、無線基地局ＤｅＮＢに接続されているリレーノードＲＮの数に関係なく、１本のＸ２コネクションだけが設定されるように構成されていてもよい。
【００２２】
また、リレーノードＲＮのＳ１コネクションは、リレーノードＲＮと交換局ＭＭＥ（Ｍｏｂｉｌｉｔｙ  Ｍａｎａｇｅｍｅｎｔ  Ｅｎｔｉｔｙ）との間で終端されており、リレーノードＲＮと無線基地局ＤｅＮＢとの間で終端されている。
【００２３】
ここで、無線基地局ｅＮＢは、リレーノードＲＮと無線基地局ＤｅＮＢとを区別せず、リレーノードＲＮ配下のセルを、無線基地局ＤｅＮＢ配下のセルとして認識するように構成されている。
【００２４】
図２に示すように、リレーノードＲＮは、受信部１１と、送信部１２とを具備している。
【００２５】
受信部１１は、無線基地局ＤｅＮＢから、Ｘ２コネクションを介して、各種信号を受信するように構成されている。
【００２６】
送信部１２は、無線基地局ＤｅＮＢに対して、Ｘ２コネクションを介して、各種信号を送信するように構成されている。
【００２７】
ここで、リレーノードＲＮは、無線基地局ＤｅＮＢと同一の「Ｍａｃｒｏ  ｅＮＢ  ＩＤ」及び無線基地局ＤｅＮＢによって割り当てられた「Ｃｅｌｌ  Ｉｄｅｎｔｉｔｙ」を用いるように構成されている。
【００２８】
例えば、「Ｃｅｌｌ  Ｉｄｅｎｔｉｔｙ」は、リレーノードＲＮ配下のセルを識別する２８ビットの識別情報であり、リレーノードＲＮで用いられる「Ｍａｃｒｏ  ｅＮＢ  ＩＤ（２０ビット）」と、かかる「Ｍａｃｒｏ  ｅＮＢ  ＩＤ」が用いられる無線基地局ＤｅＮＢ又はリレーノード内で一意にセルを識別可能な「ＩＤ（８ビット）」とによって構成されている。
【００２９】
また、例えば、送信部１２は、リレーノードＲＮの起動時に、「ＲＲＣ  ＲＮ（ＵＥ）  Ｃａｐａｂｉｌｉｔｙ  Ｉｎｆｏｒｍａｔｉｏｎ」によって、無線基地局ＤｅＮＢに対して、リレーノードＲＮにおいて運用するセルの数を通知するように構成されていてもよい。
【００３０】
或いは、送信部１２は、リレーノードＲＮの起動時に、「ＲＲＣ  ＲＮ（ＵＥ）  Ｃａｐａｂｉｌｉｔｙ  Ｉｎｆｏｒｍａｔｉｏｎ」によって、無線基地局ＤｅＮＢに対して、リレーノードＲＮにおいてサポート可能なセルの数を通知するように構成されていてもよい。
【００３１】
図３に示すように、無線基地局ＤｅＮＢは、受信部２１と、割当部２２と、送信部２３とを具備している。
【００３２】
受信部２１は、リレーノードＲＮから、Ｘ２コネクションを介して、各種信号を受信するように構成されている。
【００３３】
送信部２３は、リレーノードＲＮに対して、Ｘ２コネクションを介して、各種信号を送信するように構成されている。
【００３４】
割当部２２は、リレーノードＲＮの起動時に、リレーノードＲＮ配下のセルを識別する「Ｃｅｌｌ  Ｉｄｅｎｔｉｔｙ」を割り当てるように構成されている。
【００３５】
例えば、割当部２２は、リレーノードＲＮ＃１の起動時に、無線基地局ＤｅＮＢに接続されている他のリレーノードＲＮ＃２及びＲＮ＃３配下のセル及び無線基地局ＤｅＮＢ配下のセルを識別する「Ｃｅｌｌ  Ｉｄｅｎｔｉｔｙ」として使用されている「Ｃｅｌｌ  Ｉｄｅｎｔｉｔｙ」と重複しないように、リレーノードＲＮ配下のセルを識別する「Ｃｅｌｌ  Ｉｄｅｎｔｉｔｙ」を割り当てるように構成されている。
【００３６】
具体的には、割当部２２は、リレーノードＲＮ＃１配下のセルに対して割り当てられる「Ｃｅｌｌ  Ｉｄｅｎｔｉｔｙ」内の「ＩＤ（８ビット）」を、リレーノードＲＮ＃２及びＲＮ＃３配下のセル及び無線基地局ＤｅＮＢ配下のセルに対して割り当てられている「Ｃｅｌｌ  Ｉｄｅｎｔｉｔｙ」内の「ＩＤ（８ビット）」と重複しないようにする。
【００３７】
なお、割当部２２は、後述するように、リレーノードＲＮと無線基地局ＤｅＮＢとの間のＲＲＣコネクションの設定処理において、リレーノードＲＮ配下のセルを識別する「Ｃｅｌｌ  Ｉｄｅｎｔｉｔｙ」を割り当てるように構成されている。
【００３８】
また、受信部２１が、リレーノードＲＮの起動時に、リレーノードＲＮにおいて運用するセルの数を受信した場合、割当部２２は、通知されたセルの数だけ、上述の「Ｃｅｌｌ  Ｉｄｅｎｔｉｔｙ」を割り当てるように構成されていてもよい。
【００３９】
或いは、受信部２１が、リレーノードＲＮの起動時に、リレーノードＲＮにおいてサポート可能なセルの数を受信した場合、割当部２２は、通知されたセルの数以下の数だけ、上述の「Ｃｅｌｌ  Ｉｄｅｎｔｉｔｙ」を割り当てるように構成されていてもよい。
【００４０】
以下、図４を参照して、本発明の第１の実施形態に係る移動通信システムにおけるリレーノードＲＮの起動時の動作について説明する。
【００４１】
ここで、リレーノードＲＮは、無線基地局ＤｅＮＢ配下のセルにおいて報知されているＳＩＢ１（Ｓｙｓｔｅｍ  Ｉｎｆｏｒｍａｔｉｏｎ  Ｂｌｏｃｋ  １）を受信することによって、かかるセルを識別する「Ｃｅｌｌ  Ｉｄｅｎｔｉｔｙ」を取得することができ、無線基地局ＤｅＮＢの「Ｍａｃｒｏ  ｅＮＢ  ＩＤ（「Ｃｅｌｌ  Ｉｄｅｎｔｉｔｙ」の上位２０ビット）」を知ることができる。
【００４２】
図５に示すように、ステップＳ１００１において、リレーノードＲＮは、無線基地局ＤｅＮＢに対して、「Ｅｓｔａｂｌｉｓｈｍｅｎｔ  ｃａｕｓｅ」が「ＲＮ起動」であることを通知する「ＲＲＣ  Ｃｏｎｎｅｃｔｉｏｎ  Ｒｅｑｕｅｓｔ」を送信する。
【００４３】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信する。
【００４４】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００４５】
ステップＳ１００４において、無線基地局ＤｅＮＢは、交換局ＭＭＥに対して、かかる「Ａｔｔａｃｈ  Ｒｅｑｕｅｓｔ」を含む「Ｉｎｉｔｉａｌ  ＵＥ  Ｍｅｓｓａｇｅ」を送信する。
【００４６】
ステップＳ１００５において、リレーノードＲＮと交換局ＭＭＥとの間で「Ａｕｔｈｅｎｔｉｃａｔｉｏｎ/Ｓｅｃｕｒｉｔｙ処理」が行われる。
【００４７】
ステップＳ１００６において、交換局ＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４８】
ステップＳ１００７において、無線基地局ＤｅＮＢは、リレーノードＲＮに対して、「ＲＲＣ  ＲＮ（ＵＥ）  Ｃａｐａｂｉｌｉｔｙ  Ｅｎｑｕｉｒｙ」を送信する。
【００４９】
ステップＳ１００８において、リレーノードＲＮは、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」を送信する。
【００５０】
ここで、リレーノードＲＮは、「ＲＲＣ  ＲＮ（ＵＥ）  Ｃａｐａｂｉｌｉｔｙ  Ｉｎｆｏｒｍａｔｉｏｎ」によって、無線基地局ＤｅＮＢに対して、リレーノードＲＮにおいて運用するセルの数或いはリレーノードＲＮにおいてサポート可能なセルの数を通知してもよい。
【００５１】
ステップＳ１００９において、無線基地局ＤｅＮＢは、交換局ＭＭＥに対して、「ＲＲＣ  ＲＮ（ＵＥ）  Ｃａｐａｂｉｌｉｔｙ  Ｉｎｄｉｃａｔｉｏｎ」を送信する。
【００５２】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００５３】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、リレーノードＲＮ配下のセルに対して割り当てた１つ又は複数の「Ｃｅｌｌ  Ｉｄｅｎｔｉｔｙ（具体的には、８ビットの「ＩＤ」）」を通知する。
【００５４】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５５】
ステップＳ１０１４において、無線基地局ＤｅＮＢは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【００５６】
ステップＳ１０１５において、リレーノードＲＮは、交換局ＭＭＥに対して、「Ａｔｔａｃｈ  Ｃｏｍｐｌｅｔｅ」を送信する。
【００５７】
その後、リレーノードＲＮの設定処理が行われる。具体的には、リレーノードＲＮは、ステップＳ１０１６において、無線基地局ＤｅＮＢに対して、「Ｓ１  Ｓｅｔｕｐ  Ｒｅｑｕｅｓｔ」を送信し、ステップ１０１７において、無線基地局ＤｅＮＢから、「Ｓ１  Ｓｅｔｕｐ  Ｒｅｓｐｏｎｓｅ」を受信する。
【００５８】
次に、図５を参照して、本実施形態に係るリレーノードＲＮの動作について説明する。
【００５９】
図５に示すように、リレーノードＲＮは、ステップＳ１０１において、電源が投入されると、ステップＳ１０２において、無線基地局ＤｅＮＢ配下のセルにおいて報知されているＳＩＢ１に含まれる「Ｃｅｌｌ  Ｉｄｅｎｔｉｔｙ」を取得し、ステップＳ１０３において、かかる「Ｃｅｌｌ  Ｉｄｅｎｔｉｔｙ」から、無線基地局ＤｅＮＢの「Ｍａｃｒｏ  ｅＮＢ  ＩＤ」を抽出する。
【００６０】
リレーノードＲＮは、ステップＳ１０５において、無線基地局ＤｅＮＢに対して、「ＲＡＣＨ（Ｒａｎｄｏｍ  Ａｃｃｅｓｓ  Ｃｈａｎｎｅｌ）プリアンブル」を送信し、ステップＳ１０６において、無線基地局ＤｅＮＢから、「ＲＡＣＨレスポンス」を受信する。
【００６１】
ステップＳ１０６において、リレーノードＲＮは、「ＲＡＣＨレスポンス」によって割り当てられた無線リソースを用いて、「Ｅｓｔａｂｌｉｓｈｍｅｎｔ  ｃａｕｓｅ」に「ｒｎ-Ｓｅｔｕｐ」と設定した「ＲＲＣ  Ｃｏｎｎｅｃｔｉｏｎ  Ｒｅｑｕｅｓｔ」、すなわち、「Ｅｓｔａｂｌｉｓｈｍｅｎｔ  ｃａｕｓｅ」が「ＲＮ起動」であることを通知する「ＲＲＣ  Ｃｏｎｎｅｃｔｉｏｎ  Ｒｅｑｕｅｓｔ」を送信する。
【００６２】
ステップＳ１０７において、リレーノードＲＮは、交換局ＭＭＥとの間で、「Ａｕｔｈｅｎｔｉｃａｔｉｏｎ/Ｓｅｃｕｒｉｔｙ処理」を行う。
【００６３】
リレーノードＲＮは、ステップＳ１０８において、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」を送信し、ステップＳ１０９において、無線基地局ＤｅＮＢから、「Ｓｅｃｕｒｉｔｙ  Ｍｏｄｅ  Ｃｏｍｍａｎｄ」を受信する。
【００６４】
ステップＳ１１０において、リレーノードＲＮは、無線基地局ＤｅＮＢから、「Ｃｅｌｌ  Ｉｄｅｎｔｉｔｙ」の下位８ビットに設定されるべき上述の「ＩＤ」を割り当てる「ＲＲＣ  Ｃｏｎｎｅｃｔｉｏｎ  Ｒｅｃｏｎｆｉｇｕｒａｔｉｏｎ」を受信する。
【００６５】
ステップＳ１１１において、リレーノードＲＮは、上述の「Ｍａｃｒｏ  ｅＮＢ  ＩＤ」及び受信した「ＲＲＣ  Ｃｏｎｎｅｃｔｉｏｎ  Ｒｅｃｏｎｆｉｇｕｒａｔｉｏｎ」に含まれている「ＩＤ」を用いて、リレーノードＲＮ配下のセルの「Ｃｅｌｌ  Ｉｄｅｎｔｉｔｙ」を設定する。
【００６６】
ステップＳ１１２において、リレーノードＲＮは、無線基地局ＤｅＮＢに対して、「Ｓｅｃｕｒｉｔｙ  Ｍｏｄｅ  Ｃｏｍｐｌｅｔｅ」及び「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６７】
リレーノードＲＮは、ステップＳ１１３において、無線基地局ＤｅＮＢに対して、「Ｓ１  Ｓｅｔｕｐ  Ｒｅｑｕｅｓｔ」を送信し、ステップ１１４において、無線基地局ＤｅＮＢから、「Ｓ１  Ｓｅｔｕｐ  Ｒｅｓｐｏｎｓｅ」を受信する。
【００６８】
本発明の第１の実施形態に係る移動通信システムによれば、リレーノードＲＮを識別する「Ｍａｃｒｏ  ｅＮＢ  ＩＤ」及び無線基地局ＤｅＮＢを識別する「Ｍａｃｒｏ  ｅＮＢ  ＩＤ」が同一になるように構成されており、無線基地局ＤｅＮＢに接続されている他のリレーノードＲＮ配下のセル及び無線基地局ＤｅＮＢ配下のセルを識別する「Ｃｅｌｌ  Ｉｄｅｎｔｉｔｙ」の下位８ビット及びリレーノードＲＮ配下のセルを識別する「Ｃｅｌｌ  Ｉｄｅｎｔｉｔｙ」の下位８ビットが重複しないように構成されているため、無線基地局ＤｅＮＢに接続されているリレーノードＲＮの数に関係なく、１本のＸ２コネクションが設定されるだけでよく、無線基地局ｅＮＢは、リレーノードＲＮと無線基地局ＤｅＮＢとを区別せず、リレーノードＲＮ配下のセルを、無線基地局ＤｅＮＢ配下のセルとして認識することができる。
【００６９】
（本発明の第２の実施形態に係る移動通信システム）
以下、本発明の第２の実施形態に係る移動通信システムについて、本発明の第１の実施形態に係る移動通信システムとの相違点に着目して説明する。
【００７０】
本実施形態に係る移動通信システムでは、無線基地局ＤｅＮＢの割当部２２は、リレーノードＲＮのＳ１コネクションの設定処理において、リレーノードＲＮ配下のセルを識別する「Ｃｅｌｌ  Ｉｄｅｎｔｉｔｙ」を割り当てるように構成されている。
【００７１】
具体的には、無線基地局ＤｅＮＢは、リレーノードＲＮに対して、図４のステップＳ１０１１において、「ＲＲＣ  Ｃｏｎｎｅｃｔｉｏｎ  Ｒｅｃｏｎｆｉｇｕｒａｔｉｏｎ」によって、リレーノードＲＮ配下のセルに対して割り当てた「Ｃｅｌｌ  Ｉｄｅｎｔｉｔｙ（具体的には、８ビットの「ＩＤ」）」を通知する代わりに、図４のステップＳ１０１７において、「Ｓ１  Ｓｅｔｕｐ  Ｒｅｓｐｏｎｓｅ」によって、リレーノードＲＮ配下のセルに対して割り当てた「Ｃｅｌｌ  Ｉｄｅｎｔｉｔｙ（具体的には、８ビットの「ＩＤ」）」を通知する。
【００７２】
以下、図６を参照して、本実施形態に係るリレーノードＲＮの動作について説明する。
【００７３】
図６に示すように、ステップＳ２０１乃至Ｓ２０９の動作は、図５に示すステップＳ１０１乃至Ｓ１０９の動作と同一である。
【００７４】
ステップＳ２１０において、リレーノードＲＮは、無線基地局ＤｅＮＢから、「ＲＲＣ  Ｃｏｎｎｅｃｔｉｏｎ  Ｒｅｃｏｎｆｉｇｕｒａｔｉｏｎ」を受信する。
【００７５】
ステップＳ２１１において、リレーノードＲＮは、無線基地局ＤｅＮＢに対して、「Ｓｅｃｕｒｉｔｙ  Ｍｏｄｅ  Ｃｏｍｐｌｅｔｅ」及び「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７６】
リレーノードＲＮは、ステップＳ２１２において、無線基地局ＤｅＮＢに対して、「Ｓ１  Ｓｅｔｕｐ  Ｒｅｑｕｅｓｔ」を送信し、ステップ２１３において、無線基地局ＤｅＮＢから、「Ｃｅｌｌ  Ｉｄｅｎｔｉｔｙ」の下位８ビットに設定されるべき上述の「ＩＤ」を割り当てる「Ｓ１  Ｓｅｔｕｐ  Ｒｅｓｐｏｎｓｅ」を受信する。
【００７７】
ステップＳ２１４において、リレーノードＲＮは、上述の「Ｍａｃｒｏ  ｅＮＢ  ＩＤ」及び受信した「Ｓ１  Ｓｅｔｕｐ  Ｒｅｓｐｏｎｓｅ」に含まれている「ＩＤ」を用いて、リレーノードＲＮ配下のセルの「Ｃｅｌｌ  Ｉｄｅｎｔｉｔｙ」を設定する。
【００７８】
以上に述べた本実施形態の特徴は、以下のように表現されていてもよい。
【００７９】
本実施形態の第１の特徴は、無線基地局ＤｅＮＢと、無線基地局ＤｅＮＢに接続されているリレーノードＲＮとを具備している移動通信システムであって、リレーノードＲＮを識別する「Ｍａｃｒｏ  ｅＮＢ  ＩＤ（装置識別情報）」及び無線基地局ＤｅＮＢを識別する「Ｍａｃｒｏ  ｅＮＢ  ＩＤ」は、同一になるように構成されており、無線基地局ＤｅＮＢは、リレーノードＲＮの起動時に、無線基地局ＤｅＮＢに接続されている他のリレーノードＲＮ配下のセル及び無線基地局ＤｅＮＢ配下のセルを識別する「Ｃｅｌｌ  Ｉｄｅｎｔｉｔｙ（セル識別情報）」として使用されている「Ｃｅｌｌ  Ｉｄｅｎｔｉｔｙ」と重複しないように、リレーノードＲＮ配下のセルを識別する「Ｃｅｌｌ  Ｉｄｅｎｔｉｔｙ（具体的には、上述の８ビットの「ＩＤ」）」を割り当てるように構成されている割当部２２を具備することを要旨とする。
【００８０】
本実施形態の第１の特徴において、割当部２２は、リレーノードＲＮの起動時におけるリレーノードＲＮと無線基地局ＤｅＮＢとの間のＲＲＣコネクションの設定処理において、リレーノードＲＮ配下のセルを識別する「Ｃｅｌｌ  Ｉｄｅｎｔｉｔｙ」を割り当てるように構成されていてもよい。
【００８１】
本実施形態の第１の特徴において、割当部２２は、リレーノードＲＮの起動時におけるリレーノードＲＮのＳ１コネクションの設定処理において、リレーノードＲＮ配下のセルを識別する「Ｃｅｌｌ  Ｉｄｅｎｔｉｔｙ」を割り当てるように構成されていてもよい。
【００８２】
本実施形態の第１の特徴において、リレーノードＲＮは、起動時に、無線基地局ＤｅＮＢに対して、リレーノードＲＮにおいて運用するセルの数を通知するように構成されている送信部１２を具備し、割当部２２は、通知されたセルの数だけ、上述の「Ｃｅｌｌ  Ｉｄｅｎｔｉｔｙ」を割り当てるように構成されていてもよい。
【００８３】
本実施形態の第１の特徴において、リレーノードＲＮは、起動時に、無線基地局ＤｅＮＢに対して、リレーノードＲＮにおいてサポート可能なセルの数を通知するように構成されている送信部１２を具備し、割当部２２は、通知されたセルの数以下の数だけ、上述の「Ｃｅｌｌ  Ｉｄｅｎｔｉｔｙ」を割り当てるように構成されていてもよい。
【００８４】
本実施形態の第２の特徴は、リレーノードＲＮに接続されている無線基地局ＤｅＮＢであって、リレーノードＲＮを識別する「Ｍａｃｒｏ  ｅＮＢ  ＩＤ」及び無線基地局ＤｅＮＢを識別する「Ｍａｃｒｏ  ｅＮＢ  ＩＤ」は、同一になるように構成されており、無線基地局ＤｅＮＢは、リレーノードＲＮの起動時に、無線基地局ＤｅＮＢに接続されている他のリレーノードＲＮ配下のセル及び無線基地局ＤｅＮＢ配下のセルを識別する「Ｃｅｌｌ  Ｉｄｅｎｔｉｔｙ」として使用されている「Ｃｅｌｌ  Ｉｄｅｎｔｉｔｙ」と重複しないように、リレーノードＲＮ配下のセルを識別する「Ｃｅｌｌ  Ｉｄｅｎｔｉｔｙ」を割り当てるように構成されている割当部２２を具備することを要旨とする。
【００８５】
本実施形態の第２の特徴において、割当部２２は、リレーノードＲＮの起動時におけるリレーノードＲＮと無線基地局ＤｅＮＢとの間のＲＲＣコネクションの設定処理において、リレーノードＲＮ配下のセルを識別する「Ｃｅｌｌ  Ｉｄｅｎｔｉｔｙ」を割り当てるように構成されていてもよい。
【００８６】
本実施形態の第２の特徴において、割当部２２は、リレーノードＲＮの起動時におけるリレーノードＲＮのＳ１コネクションの設定処理において、リレーノードＲＮ配下のセルを識別する「Ｃｅｌｌ  Ｉｄｅｎｔｉｔｙ」を割り当てるように構成されていてもよい。
【００８７】
本実施形態の第２の特徴において、リレーノードＲＮの起動時に、リレーノードＲＮにおいて運用するセルの数を受信するように構成されている受信部２１を具備し、割当部２２は、通知されたセルの数だけ、上述の「Ｃｅｌｌ  Ｉｄｅｎｔｉｔｙ」を割り当てるように構成されていてもよい。
【００８８】
本実施形態の第２の特徴において、リレーノードＲＮの起動時に、リレーノードＲＮにおいてサポート可能なセルの数を受信するように構成されている受信部２１を具備し、割当部２２は、通知されたセルの数以下の数だけ、上述の「Ｃｅｌｌ  Ｉｄｅｎｔｉｔｙ」を割り当てるように構成されていてもよい。
【００８９】
なお、上述の交換局ＭＭＥや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００９０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥや無線基地局ＤｅＮＢやリレーノードＲＮや移動局ＵＥ内に設けられていてもよい。また、かかる記憶媒体及びプロセッサは、ディスクリートコンポーネントとして交換局ＭＭＥや無線基地局ＤｅＮＢやリレーノードＲＮや移動局ＵＥ内に設けられていてもよい。
【００９２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９３】
ＭＭＥ…交換局
ＲＮ…リレーノード
１１…受信部
１２…送信部
ＤｅＮＢ…無線基地局
２１…受信部
２２…割当部
２３…送信部
【図１】
2011147106.tif 000003
【図２】
2011147106.tif 000004
【図３】
2011147106.tif 000005
【図４】
2011147106.tif 000006
【図５】
2011147106.tif 000007
【図６】
2011147106.tif 000008
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
無線基地局と、該無線基地局に接続されているリレーノードとを具備している移動通信システムであって、
前記リレーノードは、前記無線基地局と同一の「Ｍａｃｒｏ  ｅＮＢ  ＩＤ」、及び、該無線基地局及び該リレーノード内で一意にセルを識別可能な「ＩＤ」を用いて、該リレーノード配下のセルを識別する「Ｃｅｌｌ  Ｉｄｅｎｔｉｔｙ」を設定するように構成されていることを特徴とする移動通信システム。
【請求項２】
前記無線基地局は、前記リレーノードの起動時に、該無線基地局に接続されている他のリレーノード配下のセルを識別する「Ｃｅｌｌ  Ｉｄｅｎｔｉｔｙ」及び該無線基地局配下のセルを識別する「Ｃｅｌｌ  Ｉｄｅｎｔｉｔｙ」として使用されている「Ｃｅｌｌ  Ｉｄｅｎｔｉｔｙ」と重複しないように、該リレーノード配下のセルを識別する「Ｃｅｌｌ  Ｉｄｅｎｔｉｔｙ」を割り当てるように構成されている割当部を具備することを特徴とする請求項１に記載の移動通信システム。
【請求項３】
前記割当部は、前記リレーノードの起動時における前記リレーノードと前記無線基地局との間のＲＲＣコネクションの設定処理において、該リレーノード配下のセルを識別する「Ｃｅｌｌ  Ｉｄｅｎｔｉｔｙ」を割り当てるように構成されていることを特徴とする請求項２に記載の移動通信システム。
【請求項４】
前記割当部は、前記リレーノードの起動時における前記リレーノードのＳ１コネクションの設定処理において、該リレーノード配下のセルを識別する「Ｃｅｌｌ  Ｉｄｅｎｔｉｔｙ」を割り当てるように構成されていることを特徴とする請求項２に記載の移動通信システム。
【請求項５】
前記リレーノードは、起動時に、前記無線基地局に対して、該リレーノードにおいて運用するセルの数を通知するように構成されている送信部を具備し、
前記割当部は、通知された前記セルの数だけ、前記「Ｃｅｌｌ  Ｉｄｅｎｔｉｔｙ」を割り当てるように構成されていることを特徴とする請求項２に記載の移動通信システム。
【請求項６】
前記リレーノードは、起動時に、前記無線基地局に対して、該リレーノードにおいてサポート可能なセルの数を通知するように構成されている送信部を具備し、
前記割当部は、通知された前記セルの数以下の数だけ、前記「Ｃｅｌｌ  Ｉｄｅｎｔｉｔｙ」を割り当てるように構成されていることを特徴とする請求項２に記載の移動通信システム。
【請求項７】
リレーノードに接続されている無線基地局であって、
前記リレーノードの起動時に、前記無線基地局に接続されている他のリレーノード配下のセルを識別する「Ｃｅｌｌ  Ｉｄｅｎｔｉｔｙ」及び該無線基地局配下のセルを識別する「Ｃｅｌｌ  Ｉｄｅｎｔｉｔｙ」として使用されている「Ｃｅｌｌ  Ｉｄｅｎｔｉｔｙ」と重複しないように、該リレーノード配下のセルを識別する「Ｃｅｌｌ  Ｉｄｅｎｔｉｔｙ」を割り当てるように構成されている割当部を具備し、
前記リレーノード灰化のセルを識別する「Ｃｅｌｌ  Ｉｄｅｎｔｉｔｙ」は、前記無線基地局と同一の「Ｍａｃｒｏ  ｅＮＢ  ＩＤ」、及び、前記無線基地局及び該リレーノード内で一意にセルを識別可能な「ＩＤ」によって構成されていることを特徴とする無線基地局。
【請求項８】
前記割当部は、前記リレーノードの起動時における前記リレーノードと前記無線基地局との間のＲＲＣコネクションの設定処理において、該リレーノード配下のセルを識別する「Ｃｅｌｌ  Ｉｄｅｎｔｉｔｙ」を割り当てるように構成されていることを特徴とする請求項７に記載の無線基地局。
【請求項９】
前記割当部は、前記リレーノードの起動時における前記リレーノードのＳ１コネクションの設定処理において、該リレーノード配下のセルを識別する「Ｃｅｌｌ  Ｉｄｅｎｔｉｔｙ」を割り当てるように構成されていることを特徴とする請求項７に記載の無線基地局。
【請求項１０】
前記リレーノードの起動時に、該リレーノードにおいて運用するセルの数を受信するように構成されている受信部を具備し、
前記割当部は、通知された前記セルの数だけ、前記「Ｃｅｌｌ  Ｉｄｅｎｔｉｔｙ」を割り当てるように構成されていることを特徴とする請求項７に記載の無線基地局。
【請求項１１】
前記リレーノードの起動時に、該リレーノードにおいてサポート可能なセルの数を受信するように構成されている受信部を具備し、
前記割当部は、通知された前記セルの数以下の数だけ、前記「Ｃｅｌｌ  Ｉｄｅｎｔｉｔｙ」を割り当てるように構成されていることを特徴とする請求項７に記載の無線基地局。
【請求項１２】
無線基地局に接続されているリレーノードであって、
前記無線基地局と同一の「Ｍａｃｒｏ  ｅＮＢ  ＩＤ」、及び、前記無線基地局及び該リレーノード内で一意にセルを識別可能な「ＩＤ」を用いて、該リレーノード配下のセルを識別する「Ｃｅｌｌ  Ｉｄｅｎｔｉｔｙ」を設定するように構成されていることを特徴とするリレーノード。
【請求項１３】
前記無線基地局配下のセルにおいて報知されているＳＩＢ１を介して取得した前記「Ｍａｃｒｏ  ｅＮＢ  ＩＤ」、及び、受信したＲＲＣコネクション再構成メッセージに含まれている前記「ＩＤ」を用いて、前記「Ｃｅｌｌ  Ｉｄｅｎｔｉｔｙ」を設定するように構成されていることを特徴とする請求項１２に記載のリレーノード。
【請求項１４】
前記無線基地局配下のセルにおいて報知されているＳＩＢ１を介して取得した前記「Ｍａｃｒｏ  ｅＮＢ  ＩＤ」、及び、受信したＳ１設定応答メッセージに含まれている前記「ＩＤ」を用いて、前記「Ｃｅｌｌ  Ｉｄｅｎｔｉｔｙ」を設定するように構成されていることを特徴とする請求項１２に記載のリレーノード。